(57)【要約】【課題】単純な構造で安価に製造可能であり、ブロックの位置合わせ及び連結が容易な基礎ブロックを提供する。【解決手段】設置物を支持・固定するための基礎ブロック１であって、中央部に中央ブロックが嵌合する凹部２１が設けられた外周ブロック１１と、前記凹部２１に嵌合する中央ブロック５１と、を有し、前記外周ブロック１１は、設置物を固定するボルトが螺合するねじ孔４１、レベル調整用のボルト又は杭を取付け可能な貫通孔３１を有し、前記中央ブロック５１は、少なくとも対向する２つの側面が傾斜面であり、前記中央ブロック５１が前記外周ブロック１１に嵌め込まれた状態で使用される。【選択図】図１
0003205770.tif 000002
【実用新案登録請求の範囲】
【請求項１】
設置物を支持・固定するための基礎ブロックであって、
中央部に中央ブロックが嵌合する嵌合部が設けられた外周ブロックと、
前記嵌合部に嵌合する中央ブロックと、
を有し、
前記外周ブロックは、設置物を固定するボルトが螺合するねじ孔、レベル調整用のボルト又は杭を取付け可能な貫通孔を有し、
前記中央ブロックは、少なくとも対向する２つの側面が傾斜面であり、
前記中央ブロックが前記外周ブロックに嵌め込まれた状態で使用される基礎ブロック。
【請求項２】
前記中央ブロックは、上面が底面に比較して広く、正面視において両側面が底面方向に向って互いの距離を縮めるように傾斜しており、
前記嵌合部は、前記外周ブロックの高さ方向に貫通し、形状が前記中央ブロックの外形形状と同一であり、
前記中央ブロックは、前記嵌合部に隙間なく嵌り込むことを特徴とする請求項１に記載の基礎ブロック。
【請求項３】
前記貫通孔の少なくとも一部は、ボルトが螺合可能なねじ孔となっていることを特徴とする請求項１又は請求項２に記載の基礎ブロック。
【請求項４】
前記中央ブロックは、上面に当該中央ブロックを持ち上げる際に使用する治具を装着可能な治具装着手段を備えることを特徴とする請求項１から請求項３のいずれか１項に記載の基礎ブロック。
【請求項５】
前記外周ブロック及び中央ブロックの底面に滑り止め加工が施されていることを特徴とする請求項１から請求項４のいずれか１項に記載の基礎ブロック。
【請求項６】
前記外周ブロックは、前記設置物を固定するボルトが螺合するねじ孔に代えて、前記設置物を固定するボルトをスライド自在に保持可能な保持部を有することを特徴とする請求項１から請求項５のいずれか１項に記載の基礎ブロック。
【考案の詳細な説明】
【技術分野】
【０００１】
本考案は、発電ユニットなど重量のある機器を設置する際に使用する基礎ブロックに関する。
【背景技術】
【０００２】
近年、燃料電池ユニット（発電ユニット）、給湯設備、自動販売機など大型で重量のある機器の設置にプレキャストコンクリート製の基礎ブロックが多く使用されている。プレキャストコンクリート製の基礎ブロックを使用することで、現場打ち工法に比較して、基礎工事に要する時間を短縮することができる。
【０００３】
機器を設置するためのプレキャストコンクリート製の基礎ブロックは、これまでに用途等に応じ種々の形態のものが開発されている。例えば基礎ブロックの搬入、設置を容易にすべく２以上のブロックからなる基礎ブロック、分割されたブロックを連結し使用する基礎ブロックがある（例えば特許文献１、特許文献２参照）。
【０００４】
また機器の設置を容易にする基礎ブロック（例えば特許文献３参照）、多様な態様の機器を設置可能とする基礎ブロックもある（例えば特許文献４参照）。
【先行技術文献】
【特許文献】
【０００５】
【特許文献１】特開２０１１−１７９２１３号公報
【特許文献２】特開２００８−２２３３９９号公報
【特許文献３】特開２０１２−２０２０１９号公報
【特許文献４】特開２０１１−８０２４３号公報
【考案の概要】
【考案が解決しようとする課題】
【０００６】
特許文献１〜４に記載の基礎ブロックを含め、これまでに提案されている２以上のブロックを連結し使用するタイプの基礎ブロックは構造が複雑であり、製造コストが高くなる。またブロックの位置合わせ、連結にも時間を要する。
【０００７】
本考案の目的は、単純な構造で安価に製造可能であり、ブロックの位置合わせ及び連結が容易な基礎ブロックを提供することである。
【課題を解決するための手段】
【０００８】
本考案は、設置物を支持・固定するための基礎ブロックであって、中央部に中央ブロックが嵌合する嵌合部が設けられた外周ブロックと、前記嵌合部に嵌合する中央ブロックと、を有し、前記外周ブロックは、設置物を固定するボルトが螺合するねじ孔、レベル調整用のボルト又は杭を取付け可能な貫通孔を有し、前記中央ブロックは、少なくとも対向する２つの側面が傾斜面であり、前記中央ブロックが前記外周ブロックに嵌め込まれた状態で使用される基礎ブロックである。
【０００９】
本考案の基礎ブロックは、中央ブロックと外周ブロックとを有し、外周ブロックに設けられた嵌合部に中央ブロックを嵌め込み使用する基礎ブロックであるから、運搬、設置が容易であり、さらに構造が単純なので安価に製造することができる。また中央ブロックは、対向する２つの傾斜面を備えるので外周ブロックの嵌合部への嵌め込みが簡単であり、中央ブロックと外周ブロックとの位置合わせ及び連結を簡単に行える。
【００１０】
本考案の基礎ブロックにおいて、前記中央ブロックは、上面が底面に比較して広く、正面視において両側面が底面方向に向って互いの距離を縮めるように傾斜しており、前記嵌合部は、前記外周ブロックの高さ方向に貫通し、形状が前記中央ブロックの外形形状と同一であり、前記中央ブロックは、前記嵌合部に隙間なく嵌り込むことを特徴とする。
【００１１】
本考案の基礎ブロックは、中央ブロックが下向きに先細りであり、さらに中央ブロックは外周ブロックの嵌合部に隙間なく嵌り込むため、中央ブロックを嵌合部に嵌め入れるだけで中央ブロックは外周ブロックにしっかりと固定される。
【００１２】
本考案の基礎ブロックにおいて、前記貫通孔の少なくとも一部は、ボルトが螺合可能なねじ孔となっていることを特徴とする。
【００１３】
外周ブロックに設けられた貫通孔は、少なくとも一部がねじ孔となっているためボルトを取付けること、さらにねじ孔の内径よりも小さい杭を打ち込むことも可能であり、傾斜した地面、土の地面に対しても本基礎ブロックを安定的に設置することができる。
【００１４】
本考案の基礎ブロックにおいて、前記中央ブロックは、上面に当該中央ブロックを持ち上げる際に使用する治具を装着可能な治具装着手段を備えることを特徴とする。
【００１５】
本考案の基礎ブロックは、中央ブロックを外周ブロックの嵌合部に嵌め込むときに、中央ブロックを外周ブロックの厚さ（高さ）以上に持ち上げる必要があるが、中央ブロックの上面には治具装着手段が設けられているので、これに持ち上げ用の治具を装着することで中央ブロックを簡単に持ち上げることができる。
【００１６】
本考案の基礎ブロックにおいて、前記外周ブロック及び中央ブロックの底面に滑り止め加工が施されていることを特徴とする。
【００１７】
本考案の基礎ブロックは、外周ブロック及び中央ブロックの底面に滑り止め加工が施されているので、安定的に設置することができる。
【００１８】
本考案の基礎ブロックにおいて、前記外周ブロックは、前記設置物を固定するボルトが螺合するねじ孔に代えて、前記設置物を固定するボルトをスライド自在に保持可能な保持部を有することを特徴とする。
【００１９】
本考案の基礎ブロックにおいて、設置物を固定するボルトをスライド自在に保持可能な保持部、例えばボルトがスライド自在でボルトの頭が係止するレールを設けることで多様な機器の設置が可能となる。
【考案の効果】
【００２０】
本考案によれば、単純な構造で安価に製造可能であり、ブロックの位置合わせ及び連結が容易な基礎ブロックを提供することができる。
【図面の簡単な説明】
【００２１】
【図１】本考案の第１実施形態の基礎ブロック１の外観図である。
【図２】本考案の第１実施形態の基礎ブロック１の平面図及び底面図である。
【図３】本考案の第１実施形態の基礎ブロック１の外周ブロック１１及び中央ブロック５１の断面図である。
【図４】本考案の第１実施形態の基礎ブロック１の断面図である。
【図５】本考案の第１実施形態の基礎ブロック１の貫通孔３１の使用例を示す図である。
【図６】本考案の第１実施形態の基礎ブロック１の設置例を示す図である。
【考案を実施するための形態】
【００２２】
図１は、本考案の第１実施形態の基礎ブロック１の外観図であり、（ａ）が外周ブロック１１、（ｂ）が中央ブロック５１、（ｃ）が基礎ブロック１である。図２は、（ａ）が基礎ブロック１の平面図、（ｂ）が底面図、（ｃ）が基礎ブロック１の底面の変形例である。図３は、外周ブロック１１及び中央ブロック５１の断面図、図４は、図２(ａ)の切断線ＡＢＣＤＥＦの断面図、（ｂ）が図２(ａ)の切断線Ｈ−Ｈの断面図である。
【００２３】
本考案の第１実施形態の基礎ブロック１は、燃料電池ユニット（発電ユニット）、給湯設備、自動販売機など大型で重量のある機器の設置に使用する機器設置用基礎ブロックであり、中央部に位置する中央ブロック５１と、中央ブロック５１が嵌り込む外周ブロック１１とからなる。
【００２４】
外周ブロック１１は、鉄筋コンクリート製のプレキャストコンクリートブロックであり、直方体形状のブロックであり、端面は面取りが施されている。外周ブロック１１は、寸法的には、幅Ｗ０＞奥行きＤ０＞高さＨ０であるが（図１〜３参照）、これに限定されるものではない。外周ブロック１１の中央部には、中央ブロック５１が嵌り込む嵌合部である凹部２１が設けられている。
【００２５】
凹部２１は、中央ブロック５１の外形形状と同一の形状を有し、図３（ａ）に示されるように外周ブロック１１の高さ方向に貫通している。凹部２１は、外周ブロック１１の中心から左右対称に設けられており、上面１２側の開口部２２及び底面１３側の開口部２３は、共に矩形形状である。
【００２６】
開口部２２の寸法は、幅Ｗ１＞奥行きＤ１であり、開口部２３の寸法は、幅Ｗ２＞奥行きＤ２であり、幅Ｗ１＞幅Ｗ２、奥行きＤ１＝奥行きＤ２である。このため凹部２１を形成する４つの壁面のうち、長手方向の対向する２つの壁面は傾斜面２４であり、上面１２から底面１３に向って互いの距離を縮めるように傾斜している（図３（ａ）参照）。一方、凹部２１を形成する他の２つの壁面２５は、ともに上面１２、底面１３に直交するように形成されている（図４（ｂ）参照）。
【００２７】
外周ブロック１１の両側面１４には、持ち手となる凹部１８が設けられている。
【００２８】
外周ブロック１１には、基礎ブロック１を地面１０１に設置する際に使用するレベル調節用ボルト７１（図５（ａ）参照）、又は固定用杭７５を装着可能な貫通孔３１が、凹部２１の周囲に４カ所設けられている。貫通孔３１の上部にはボルトの頭部又はナットを収納可能な座ぐり部３２が設けられ、中間部にはレベル調節用ボルト７１が螺合する雌ねじ部３３が設けられている。つまり貫通孔３１は、一部がねじ孔となっている。
【００２９】
また外周ブロック１１には、上面１２に臨むように機器固定用のボルトが螺合する有底のねじ孔４１が設けられている。ねじ孔４１は、ナットのような内面に雌ねじが施されたインサート４２が埋設され形成されている。本基礎ブロック１では、４つのねじ孔４１が貫通孔３１よりも内側に設けられているが、ねじ孔４１の個数及び位置は、設置する機器に対応するものであればよく、本実施形態に限定されるものではない。
【００３０】
外周ブロック１１の底面１３には、滑り止め加工が施されている。具体的には、図２（ｂ）に示すように長手方向に平行に直線状の凹溝１６が４本施されている。本基礎ブロック１においては、中央ブロック５１の底面５３にも凹溝５６が設けられ、外周ブロック１１に設けられた凹溝１６と中央ブロック３１に設けられた凹溝５６とが一直線上になるように配置されているが、この形態に限定されるものではない。また凹溝１６の数、大きさ、形状も特に限定されるものではない。
【００３１】
外周ブロック１１の底面１３の滑り止め加工は、直線状の凹溝１６に限定されるものではなく、図２（ｃ）に示すように小さな凹部１７を設け、底面１３に凹凸を設けてもよい。この点は中央ブロック５１についても同様である。
【００３２】
外周ブロック１１の底面１３及び中央ブロック５１の底面５３に滑り止め加工を施すことで、設置した際に地面１０１との摩擦力が高まり、基礎ブロック１を地面１０１に安定的に設置することができる。また傾斜した地面１０１に基礎ブロック１を設置する場合において（図６参照）、地面１０１と基礎ブロック１の底面との間にモルタル１０２を充填する場合でも滑り止め加工がアンカー効果を発揮し、基礎ブロック１とモルタル１０２とが強固に結合される。
【００３３】
中央ブロック５１は、使用の際に外周ブロック１１に設けられた凹部２１に嵌め込まれる鉄筋コンクリート製のプレキャストコンクリートブロックであり、凹部２１と同一の形状、寸法からなり、凹部２１に隙間なく嵌り込む。
【００３４】
具体的には、中央ブロック５１の上面５２は、幅Ｗ１、奥行きＤ１の矩形形状、底面５３は、幅Ｗ２、奥行きＤ２の矩形形状、高さＨ０は、外周ブロック１１の高さＨ０と同じであり、正面視において対向する２つの側面５４は、上面５２から底面５３に向って互いの距離を縮めるように傾斜した傾斜面であり（図３（ｂ）参照）、他の２つの側面５５は、ともに上面５２、底面５３に直交するように形成されている（図４（ｂ）参照）。中央ブロック５１の端面は、面取りが施されている。
【００３５】
側面５４の傾斜角度α（図３（ｂ）参照）は、特に限定されるものではないが、５〜１０°程度が好ましい。中央ブロック５１は、２つの側面５４の傾斜角度αを含め、前後左右を対称に形成することで、凹部２１に嵌め入れるときに方向を合わせる必要がない。ここで前後とは、中央ブロック５１の正面背面を、左右とは中央ブロック５１を正面に見たときの左右である。なお中央ブロック５１の正面視とは、側面５５を正面に見た状態をいう。
【００３６】
中央ブロック５１には、上面５２に臨むようにボルトが螺合する有底のねじ孔６１が２つ設けられている。このねじ孔６１は、当該中央ブロック５１を持ち上げる際に使用する治具、例えばアイボルトを取付けるためのものである。ねじ孔６１は、ナットのように内面に雌ねじが施されたインサート６２が埋設され形成されており、長手方向に平行な中心線上に、中心点から左右同じ位置に設けられている。
【００３７】
本基礎ブロック１を使用するときには、中央ブロック５１を外周ブロック１１の凹部２１に嵌め込む必要がある。このとき中央ブロック５１を外周ブロック１１の厚さ（高さ）Ｈ０以上に持ち上げる必要があるが、ねじ孔６１を利用しここに持ち上げ用の治具を装着することで中央ブロック５１を簡単に持ち上げることができる。
【００３８】
基礎ブロック１の大きさは、設置する機器の寸法、重量等により決まる。外周ブロック１１と中央ブロック５１との寸法比は、特に限定されるものではないが、設置する機器は、外周ブロック１１に固定するため、中央ブロック５１の上面５２の大きさは、少なくとも機器固定用ねじ孔４１を結ぶ領域よりも小さく設定する。また中央ブロック５１は、２人で運搬できる程度の重量、５０〜６０ｋｇ程度以下であることが望ましい。
【００３９】
基礎ブロック１の大きさ、仕様の一例を示せば、外周ブロック１１の幅Ｗ０＝１０００ｍｍ，奥行きＤ０＝４１０ｍｍ、厚さＨ０＝１６０ｍｍ、中央ブロック５１の幅Ｗ１＝７００ｍｍ、奥行きＤ１＝２５０ｍｍ、厚さＨ０＝１６０ｍｍ、側面５４の傾斜角度α≒５．５°である。なお基礎ブロック１の大きさ、仕様は、上記数値に限定されるものではない。
【００４０】
外周ブロック１１及び中央ブロック５１は、公知の鉄筋コンクリート製のプレキャストコンクリートブロックと同様に、型枠に鉄筋を配し、コンクリートを打設することで容易に製造することができる。外周ブロック１１の貫通孔３１の形成要領も特に限定されるものではないが、以下の要領で簡単に設けることができる。
【００４１】
塩化ビニル製の異径ソケット３４に塩化ビニル製のパイプ３５を接着し、その中を外周ブロック１１の高さＨ０以上の長さの全ネジボルト（図示省略）を挿通させる。全ネジボルトの途中にダブルナット（図示省略）を取付け、当該ナットを異径ソケット３４の傾斜部に掛止させ、さらにパイプ３５の先端部から突出した全ネジボルトに板付きナット３６を螺合させ、ダブルナットと板付きナット３６とで異径ソケット３４及びパイプ３５を挟み込む。
【００４２】
さらに板付きナット３６の先端部から突出している全ネジボルトに塩化ビニル製のパイプ３７を挿通させ、その先にナット（図示省略）を取付ける。これにより全ネジボルトを介して異径ソケット３４、パイプ３５、板付きナット３６及びパイプ３７を連結させた貫通孔形成部材を得ることができる。この貫通孔形成部材を型枠内に配置し、コンクリートを打設後、パイプ３７の先端部のナットを取外し、全ネジボルトを板付きナット３６から外せば、異径ソケット３４、パイプ３５、板付きナット３６及びパイプ３７からなる貫通孔３１を形成することができる。
【００４３】
上記貫通孔形成部材において、パイプ３５とパイプ３７との内径を同一とし、さらにパイプ３５及びパイプ３７の内径を板付きナット３６の谷の径よりも僅かに大きくすることで、後述のように貫通孔３１にレベル調節用ボルト７１及び固定用杭７５を取付け易くなる。なお上記要領で形成された貫通孔３１では、異径ソケット３４が座ぐり３２に該当し、板付きナット３６が雌ねじ部３３に該当する。
【００４４】
基礎ブロック１の使用方法を説明する。図５は、基礎ブロック１の貫通孔３１の使用例を示す図であり、（ａ）がレベル調節用ボルト７１、（ｂ）が固定用杭７５を装着した図である。図６は、基礎ブロック１の設置例を示す図である。ここに示す貫通孔３１は、上記貫通孔形成部材を用いて形成された貫通孔とする。
【００４５】
設置面１０１が傾斜したコンクリート面である場合には、外周ブロック１１の貫通孔３１にレベル調節用ボルト７１を装着し、図６に示すように外周ブロック１１の上面１２が水平となるように外周ブロック１１を設置する。貫通孔３１の途中には、板付きナット３６が装着されているので、レベル調節用ボルト７１を簡単に装着することができる。このとき、パイプ３５、３７の内径を板付きナット３６の谷の径よりも僅かに大きくすることで、レベル調節用ボルト７１のパイプ３５、３７への接触が回避され、レベル調節用ボルト７１を楽に装着することができる。
【００４６】
次に中央ブロック５１を外周ブロック１１の凹部２１に嵌め込む。中央ブロック５１には、ねじ孔６１が設けられているので、これにアイボルトを取付け、このアイボルトを利用することで中央ブロック５１を容易に運搬することができる。また凹部２１の上部開口部２２に比較して中央ブロック５１の底面５３は小さく、さらに中央ブロック５１の側面５４は、傾斜面となっているので、簡単に嵌め入れることができる。また位置決めも不要である。
【００４７】
その後、再度、外周ブロック１１の上面の水平を確認、調整し、設置面１０１と外周ブロック１１の底面１３及び中央ブロック５１の底面５３との隙間にモルタル１０２を充填する。これにより基礎ブロック１の設置が終了する。その後、基礎ブロック１の上面に機器を載せ、機器固定用ねじ孔４１を利用して機器の脚部をボルト止めする。これにより機器の設置が完了する。
【００４８】
設置面１０１が土の地面である場合は、設置面１０１を整地にした後、外周ブロック１１を設置し、水平出しを行った後、４つの貫通孔３１それぞれに固定用杭７５を挿通し、地面に打ち込み外周ブロック１１を固定する（図５（ｂ）参照）。このとき固定用杭７５に、外径が板付きナット３６の内径よりも小さいものを使用することで、板付きナット３６に邪魔されることなく固定用杭７５を打ち込むことができる。
【００４９】
その後、中央ブロック５１を外周ブロック１１の凹部２１に嵌め込み、最後に基礎ブロック１の上面に機器を設置、固定する。
【００５０】
以上のように本基礎ブロック１は、部品点数が少なく構造が単純である。また中央ブロック５１の側面５４が先細り形状となっているので外周ブロック１１と中央ブロック５１との位置合わせが容易である。さらに外周ブロック１１に中央ブロック５１を嵌め込むだけで楔効果により、自然に外周ブロック１１と中央ブロック５１とが強固に連結され、連結具を用いて連結することなく十分な強度の基礎ブロックを得ることができる。
【００５１】
上記実施形態の基礎ブロックにおいて、基礎ブロックを機器設置用の基礎ブロックとして説明したが、本基礎ブロックを設備、装置等の基礎ブロックとして使用可能なことは当然である。
【００５２】
本考案に係る基礎ブロックは、上記実施形態に限定されるものではなく、要旨を変更しない範囲で変更することができる。例えば第１実施形態の基礎ブロック１は、中央ブロック５１のうち対向する２つの側面５４のみが傾斜面となっているが、４つの側面全てを傾斜面としてもよい。あるいは長手方向に平行な側面５５を傾斜面とし、短手方向に平行な側面５４を鉛直面としてもよい。要すれば、中央ブロック５１の４つの側面のうち少なくとも対向する２つの側面が傾斜面であればよい。
【００５３】
第１実施形態の基礎ブロック１では、機器を固定するためのねじ孔４１が設けられているが、ねじ孔４１に代えて、例えばボルトがスライド可能でボルトの頭部が係止するレールを設けてもよい。このようなレールは、基礎ブロックにおいて多く使用されており、これにより多様な機器の設置が可能となる。
【００５４】
また当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００５５】
１  基礎ブロック
１１  外周ブロック
１２  外周ブロックの上面
１３  外周ブロックの底面
１６  凹溝
１７  凹部
２１  凹部
２２  凹部の上部開口部
２３  凹部の下部開口部
２４  凹部の側面
２５  凹部の側面
３１  アンカーボルト用貫通孔
３２  アンカーボルト用貫通孔の座ぐり
３３  アンカーボルト用貫通孔の雌ねじ部
３６  板付きナット
４１  機器固定用ねじ孔
５１  中央ブロック
５２  中央ブロックの上面
５３  中央ブロックの底面
５４  中央ブロックの側面
５５  中央ブロックの側面
５６  凹溝
５７  凹凸
６１  ねじ孔
７１  レベル調節用ボルト
７５  固定用杭
１０１  地面
【図１】
0003205770.tif 000003
【図２】
0003205770.tif 000004
【図３】
0003205770.tif 000005
【図４】
0003205770.tif 000006
【図５】
0003205770.tif 000007
【図６】
0003205770.tif 000008